(57)【要約】  【課題】  無線ＬＡＮへ容易かつ正確に接続することが出来る、無線ＬＡＮ通信装置、無線ＬＡＮ接続方法及びコンピュータプログラムを提供する。  【解決手段】  無線ＬＡＮ通信装置１の接続設定部１３のＥＳＳＩＤ抽出部には、通信部１５が受信した、通信圏内の所定のＡＰ２が送出するＥＳＳＩＤを含む信号が入力され、該ＥＳＳＩＤが抽出される。テンプレート検索部は、前記ＥＳＳＩＤの情報を受取り、テンプレートのライブラリの中からこのＥＳＳＩＤを含むテンプレートを検索する。検索により抽出されたテンプレートに対応する通信事業者により接続するという指示を取得した場合、テンプレートが有する接続設定情報が設定特定部により特定されて、通信部１５において接続処理が行われる。【選択図】      図１
2007081987.tif 000002
【特許請求の範囲】
【請求項１】
複数の通信事業者の接続設定情報に基づき、アクセスポイントを介して無線ＬＡＮに接続されるように構成されている無線ＬＡＮ通信装置において、
通信圏内のアクセスポイントが送出する、通信事業者の識別情報を含む信号を受信する受信手段と、
各通信事業者と識別情報とを対応させてあるテンプレートのライブラリと、
該ライブラリの中から、前記受信手段が受信した信号に含まれる識別情報に対応する通信事業者のテンプレートを検索する手段と、
該当するテンプレートの通信事業者の名称を出力する出力手段と
を備えることを特徴とする無線ＬＡＮ通信装置。
【請求項２】
前記テンプレートは、各通信事業者によりアクセスポイントに接続するために必要な、前記識別情報を含む接続設定情報を各別に有するものであり、
前記出力手段により出力された通信事業者により接続するか否かの指示を取得する取得手段と、
該取得手段が接続するという指示を取得した場合に、前記通信事業者に対応するテンプレートの接続設定情報を通信用の設定として特定する手段と
をさらに備える請求項１に記載の無線ＬＡＮ通信装置。
【請求項３】
前記取得手段が接続するという指示を取得した場合であり、ユーザより取得すべき接続設定事項があるときに、該接続設定事項を取得する手段と、
該手段により取得された接続設定事項を前記テンプレートの接続設定情報に追加する手段と
をさらに備える請求項２に記載の無線ＬＡＮ通信装置。
【請求項４】
前記出力手段により出力された通信事業者が複数ある場合に、何れの通信事業者を選択するかの指示を取得する手段をさらに備える請求項２又は３に記載の無線ＬＡＮ通信装置。
【請求項５】
通信圏内の通信事業者が符号化した接続設定情報を読み取る手段と、
該手段により読み取られた接続設定情報を復号化する手段と、
該手段により復号化された接続設定情報を前記テンプレートに追加する追加手段と
を備える請求項１乃至４の何れかに記載の無線ＬＡＮ通信装置。
【請求項６】
複数の通信事業者の接続設定情報に基づき、無線ＬＡＮ通信装置を、アクセスポイントを介して無線ＬＡＮに接続する、無線ＬＡＮ接続方法において、
前記無線ＬＡＮ通信装置が、通信圏内のアクセスポイントが送出する、通信事業者の識別情報を含む信号を受信するステップと、
前記無線ＬＡＮ通信装置に備えられる、各通信事業者と識別情報とを対応させてあるテンプレートのライブラリの中から、前記ステップにより受信された信号に含まれる識別情報に対応する通信事業者のテンプレートを検索するステップと、
該当するテンプレートの通信事業者の名称を出力する出力ステップと
を有することを特徴とする無線ＬＡＮ接続方法。
【請求項７】
前記テンプレートは、各通信事業者によりアクセスポイントに接続するために必要な、前記識別情報を含む接続設定情報を各別に有するものであり、
前記出力ステップにより出力された通信事業者により接続するか否かの指示を取得する取得ステップと、
該取得ステップが接続するという指示を取得した場合に、前記通信事業者に対応するテンプレートの接続設定情報を通信用の設定として特定するステップと
をさらに有する請求項６に記載の無線ＬＡＮ接続方法。
【請求項８】
前記取得ステップにより接続するという指示を取得した場合であり、ユーザより取得すべき接続設定事項があるときに、該接続設定事項を取得するステップと、
該ステップにより取得された接続設定事項をテンプレートの接続設定情報に追加するステップと
をさらに有する請求項７に記載の無線ＬＡＮ接続方法。
【請求項９】
無線ＬＡＮ通信手段を備えるコンピュータに、複数の通信事業者の接続設定情報に基づき、アクセスポイントを介して無線ＬＡＮに接続させるコンピュータプログラムであって、
コンピュータに、前記無線ＬＡＮ通信手段に、通信圏内のアクセスポイントが送出する、通信事業者の識別情報を含む信号を受信させる手順と、
コンピュータに、各通信事業者と識別情報とを対応させてあるテンプレートのライブラリの中から、前記手順により受信された信号に含まれる識別情報に対応する通信事業者のテンプレートを検索させる手順と、
コンピュータに、該当するテンプレートの通信事業者の名称を出力させる出力手順と
を有することを特徴とするコンピュータプログラム。
【請求項１０】
前記テンプレートは、各通信事業者によりアクセスポイントに接続するために必要な、前記識別情報を含む接続設定情報を各別に有するものであり、
コンピュータに、前記出力手順により出力された通信事業者により接続するか否かの指示を取得させる取得手順と、
コンピュータに、前記取得手順が接続するという指示を取得した場合に、前記通信事業者に対応するテンプレートの接続設定情報を通信用の設定として特定させる手順と
をさらに有する請求項９に記載のコンピュータプログラム。
【請求項１１】
前記取得手順により接続するという指示を取得した場合であり、ユーザより取得すべき接続設定事項があるときに、コンピュータに、該接続設定事項を取得させる手順と、
コンピュータに、該手順により取得された接続設定事項をテンプレートの接続設定情報に追加させる手順と
をさらに有する請求項１０に記載のコンピュータプログラム。
【発明の詳細な説明】
【技術分野】
【０００１】
本発明は、通信事業者の接続設定情報に基づき、アクセスポイント（以下、ＡＰという）を介して無線ＬＡＮに接続されるように構成されている無線ＬＡＮ通信装置、無線ＬＡＮ接続方法及びコンピュータプログラムに関する。
【背景技術】
【０００２】
無線ＬＡＮ通信装置は、通信圏内にあるＡＰを介して、無線ＬＡＮに接続され、さらにルータを介してインターネット網に接続されるように構成されている。この無線ＬＡＮ通信装置においては、ＡＰに接続するために、通信事業者毎に異なる接続設定を行う必要がある。
【発明の開示】
【発明が解決しようとする課題】
【０００３】
前記接続設定は、無線ＬＡＮ通信装置の操作パネルを用い、手動で行っているため、時間もかかり、ＥＳＳＩＤ(Extended Service set Identifier )や暗号化キーのように文字列の入力を伴うので、誤入力もたびたび生じ、接続失敗が多いという問題がある。
【０００４】
通信圏内に複数の通信事業者を有する場合、ユーザがこの場所で無線ＬＡＮへの接続を試みたときには、無線ＬＡＮ通信装置の表示画面にＥＳＳＩＤが羅列される。多くの場合、暗号化されているので、そのままでは接続出来ない。「（株）マイクロソフト（登録商標）」が「Windows （登録商標）」用に提供している接続ソフトにおいては、無線ＬＡＮ通信装置が抽出したＥＳＳＩＤに係る情報が、すでに無線ＬＡＮ通信装置に設定されている場合、このＥＳＳＩＤに対応する通信事業者によりＡＰに接続することが出来るようになっている。また、無線ＬＡＮ通信装置に、利用可能な通信事業者が複数ある場合の優先順位も設定出来るようになっている。しかし、上述のように、予め無線ＬＡＮ通信装置にＥＳＳＩＤに係る情報が設定されていないとき、抽出されたＥＳＳＩＤが羅列されるのみで、何れの通信事業者であるか特定出来ず、接続設定を特定することが出来ないという問題がある。
【０００５】
本発明は斯かる事情に鑑みてなされたものであり、通信事業者と識別情報とを対応させてあるテンプレートを有し、ＡＰが送出する、識別情報を含む信号を受信して、該識別情報を抽出し、これに対応するテンプレートを検索して通信事業者を特定することにより、無線ＬＡＮへ確実に接続することが出来る、無線ＬＡＮ通信装置、無線ＬＡＮ接続方法及びコンピュータプログラムを提供することを目的とする。
【０００６】
また、本発明は、テンプレートが通信事業者によりＡＰに接続するために必要な、識別情報を含む接続設定情報を各別に有し、ＡＰが送出する信号に含まれる識別情報と一致する識別情報を含むテンプレートを検索し、該テンプレートの接続設定情報に基づき接続設定を行うことにより、無線ＬＡＮへ自動的に、迅速かつ正確に接続することが出来る、無線ＬＡＮ通信装置、無線ＬＡＮ接続方法及びコンピュータプログラムを提供することを目的とする。
【０００７】
そして、本発明は、ユーザより取得すべき接続設定事項があるときに、該接続設定事項を取得し、取得された接続設定事項をテンプレートの接続設定情報に追加することにより、無線ＬＡＮへ、容易かつ正確に接続することが出来る、無線ＬＡＮ通信装置、無線ＬＡＮ接続方法及びコンピュータプログラムを提供することを目的とする。
【０００８】
さらに、本発明は、通信圏内の通信事業者が符号化した接続設定情報を読み取り、復号化してテンプレートに追加することにより、無線ＬＡＮへ容易かつ正確に接続することが出来る、無線ＬＡＮ通信装置、無線ＬＡＮ接続方法及びコンピュータプログラムを提供することを目的とする。
【課題を解決するための手段】
【０００９】
本発明に係る無線ＬＡＮ通信装置は、複数の通信事業者の接続設定情報に基づき、アクセスポイントを介して無線ＬＡＮに接続されるように構成されている無線ＬＡＮ通信装置において、通信圏内のアクセスポイントが送出する、通信事業者の識別情報を含む信号を受信する受信手段と、各通信事業者と識別情報とを対応させてあるテンプレートのライブラリと、該ライブラリの中から、前記受信手段が受信した信号に含まれる識別情報に対応する通信事業者のテンプレートを検索する手段と、該当するテンプレートの通信事業者の名称を出力する出力手段とを備えることを特徴とする。
【００１０】
本発明に係る無線ＬＡＮ通信装置は、前記テンプレートが、各通信事業者によりアクセスポイントに接続するために必要な、前記識別情報を含む接続設定情報を各別に有するものであり、前記出力手段により出力された通信事業者により接続するか否かの指示を取得する取得手段と、該取得手段が接続するという指示を取得した場合に、前記通信事業者に対応するテンプレートの接続設定情報を通信用の設定として特定する手段とをさらに備える。
【００１１】
本発明に係る無線ＬＡＮ通信装置は、前記取得手段が接続するという指示を取得した場合であり、ユーザより取得すべき接続設定事項があるときに、該接続設定事項を取得する手段と、該手段により取得された接続設定事項を前記テンプレートの接続設定情報に追加する手段とをさらに備える。
【００１２】
本発明に係る無線ＬＡＮ通信装置は、前記出力手段により出力された通信事業者が複数ある場合に、何れの通信事業者を選択するかの指示を取得する手段をさらに備える。
【００１３】
本発明に係る無線ＬＡＮ通信装置は、通信圏内の通信事業者が符号化した接続設定情報を読み取る手段と、該手段により読み取られた接続設定情報を復号化する手段と、該手段により復号化された接続設定情報を前記テンプレートに追加する追加手段とを備える。
【００１４】
本発明に係る無線ＬＡＮ接続方法は、複数の通信事業者の接続設定情報に基づき、無線ＬＡＮ通信装置を、アクセスポイントを介して無線ＬＡＮに接続する、無線ＬＡＮ接続方法において、前記無線ＬＡＮ通信装置が、通信圏内のアクセスポイントが送出する、通信事業者の識別情報を含む信号を受信するステップと、前記無線ＬＡＮ通信装置に備えられる、各通信事業者と識別情報とを対応させてあるテンプレートのライブラリの中から、前記ステップにより受信された信号に含まれる識別情報に対応する通信事業者のテンプレートを検索するステップと、該当するテンプレートの通信事業者の名称を出力する出力ステップとを有することを特徴とする。
【００１５】
本発明に係る無線ＬＡＮ接続方法は、前記テンプレートが、各通信事業者によりアクセスポイントに接続するために必要な、前記識別情報を含む接続設定情報を各別に有するものであり、前記出力ステップにより出力された通信事業者により接続するか否かの指示を取得する取得ステップと、該取得ステップが接続するという指示を取得した場合に、前記通信事業者に対応するテンプレートの接続設定情報を通信用の設定として特定するステップとをさらに有する。
【００１６】
本発明に係る無線ＬＡＮ接続方法は、前記取得ステップにより接続するという指示を取得した場合であり、ユーザより取得すべき接続設定事項があるときに、該接続設定事項を取得するステップと、該ステップにより取得された接続設定事項をテンプレートの接続設定情報に追加するステップとをさらに有する。
【００１７】
本発明に係るコンピュータプログラムは、無線ＬＡＮ通信手段を備えるコンピュータに、複数の通信事業者の接続設定情報に基づき、アクセスポイントを介して無線ＬＡＮに接続させるコンピュータプログラムであって、コンピュータに、前記無線ＬＡＮ通信手段に、通信圏内のアクセスポイントが送出する、通信事業者の識別情報を含む信号を受信させる手順と、コンピュータに、各通信事業者と識別情報とを対応させてあるテンプレートのライブラリの中から、前記手順により受信された信号に含まれる識別情報に対応する通信事業者のテンプレートを検索させる手順と、コンピュータに、該当するテンプレートの通信事業者の名称を出力させる出力手順とを有することを特徴とする。
【００１８】
本発明に係るコンピュータプログラムは、前記テンプレートが、各通信事業者によりアクセスポイントに接続するために必要な、前記識別情報を含む接続設定情報を各別に有するものであり、コンピュータに、前記出力手順により出力された通信事業者により接続するか否かの指示を取得させる取得手順と、コンピュータに、前記取得手順が接続するという指示を取得した場合に、前記通信事業者に対応するテンプレートの接続設定情報を通信用の設定として特定させる手順とをさらに有する。
【００１９】
本発明に係るコンピュータプログラムは、前記取得手順により接続するという指示を取得した場合であり、ユーザより取得すべき接続設定事項があるときに、コンピュータに、該接続設定事項を取得させる手順と、該手順により取得された接続設定事項をテンプレートの接続設定情報に追加させる手順とをさらに有する。
【発明の効果】
【００２０】
本発明によれば、通信事業者と識別情報とを対応させてあるテンプレートを有しており、ＡＰが送出する、識別情報を含む信号を受信して該識別情報を抽出し、これに対応するテンプレートを検索して通信事業者を特定するので、特定された通信事業者の接続設定情報に基づき、無線ＬＡＮへ確実に接続することが出来る。
【００２１】
また、本発明によれば、テンプレートが通信事業者によりアクセスポイントに接続するために必要な、識別情報を含む接続設定情報を各別に有しており、ＡＰが送出した信号に含まれる識別情報と一致する識別情報を含むテンプレートを検索し、該テンプレートの接続設定情報に基づき接続設定を行うので、無線ＬＡＮへ自動的に、迅速かつ正確に接続することが出来る。
【００２２】
そして、本発明によれば、ユーザより取得すべき接続設定事項があるときに、該接続設定事項を取得し、取得された接続設定事項をテンプレートの接続設定情報に追加するので、少数の接続設定事項を入力するだけで、無線ＬＡＮへ、容易かつ確実に接続することが出来る。
【００２３】
さらに、本発明によれば、ライブラリを検索して抽出された、接続設定済みの通信事業者と、未設定であるが接続可能である通信事業者とを比較し、何れかの通信事業者を選択して該通信事業者によりＡＰに接続することが出来るので、ユーザの利便性が良好である。
【００２４】
また、本発明によれば、通信圏内の通信事業者が符号化した接続設定情報を読み取って復号化し、テンプレートに追加するので、このテンプレートが有する接続設定情報に基づき、無線ＬＡＮへ容易かつ正確に接続することが出来る。
【発明を実施するための最良の形態】
【００２５】
以下、本発明をその実施形態を示す図面に基づいて、具体的に説明する。
【００２６】
実施の形態１．
図１は、本発明の実施の形態１に係る無線ＬＡＮ通信装置１とＡＰ２とを示すブロック図である。無線ＬＡＮ通信装置１は、制御部１１と、操作部１２と、接続設定部１３と、、記憶部１４と、通信部１５とを備えている。無線ＬＡＮ通信装置１の各部は、ＣＰＵである制御部１１で制御される。
【００２７】
操作部１２は、操作パネル１２ａ及び液晶パネル１２ｂを備えており、制御部１１は、操作パネル１２ａから操作指示を受付けたり、液晶パネル１２ｂに通信情報や処理状況等を表示させることが可能である。記憶部１４には、後述するプログラム１４ａが記憶されている。無線ＬＡＮ通信装置１は、接続設定部１３により設定された所定の通信事業者の接続設定情報に基づき、通信部１５により、ＡＰ２を介して無線ＬＡＮ３に接続され、さらにルータ４を介してインターネット網５に接続されるように構成されている。
【００２８】
図２は、接続設定部１３の構成を示すブロック図である。接続設定部１３は、ＥＳＳＩＤ抽出部１３ａと、テンプレート検索部１３ｂと、テンプレート１３ｃのライブラリ１３ｄと、設定特定部１３ｅと、接続設定情報読取り部１３ｆと、復号化部１３ｇとを備えている。ＥＳＳＩＤ抽出部１３ａには、通信部１５が受信した、通信圏内のＡＰ２が送出するＥＳＳＩＤを含む信号が入力され、ＥＳＳＩＤ抽出部１３ａにおいて、該ＥＳＳＩＤが抽出される。
【００２９】
テンプレート１３ｃは、下記の表１に一例を示す、所定の通信事業者によりＡＰに接続するために必要な、ＥＳＳＩＤを含む一組の接続設定情報を各別に有する。表１中、「固定値」とは、通信事業者から、ユーザーに依存せずに提供される、予め定まった設定値をいう。
【００３０】
【表１】
2007081987.tif 000003
【００３１】
下記の表２に、具体例として、事業者Ａ及び事業者Ｂの接続設定情報を有するテンプレートを示す。表２中、事業者Ａにおいては、「公衆ＬＡＮサービスログイン名」及び「公衆ＬＡＮサービスパスワード」が前記「固定値」ではなく、ユーザにより入力される必要がある。事業者Ｂにおいては、「ＩＰアドレス」、「公衆無線ＬＡＮサービスログイン名」及び「公衆無線ＬＡＮサービスパスワード」がユーザにより入力される必要がある。
【００３２】
【表２】
2007081987.tif 000004
【００３３】
テンプレート検索部１３ｂは、ＥＳＳＩＤ抽出部１３ａが抽出したＥＳＳＩＤの情報を受取り、ライブラリ１３ｄの中からこのＥＳＳＩＤを含むテンプレートを検索する。前記テンプレートが検出され、このテンプレートに対応する通信事業者により接続すると指示されたとき、該テンプレートが有する接続設定情報が通信用の設定として設定特定部１３ｅにおいて特定され、特定された設定情報に基づき、通信部１５において接続処理が行われる。
【００３４】
接続設定情報読取り部１３ｆは、無線ＬＡＮ通信装置１の現時点の通信圏内のＡＰ２に係る通信事業者が、ＱＲコード、バーコード等の手段で符号化してステッカーに表示し、店舗等に貼付した接続設定情報を読み取るように構成されており、カメラやバーコードリーダ等からなる。接続設定情報読取り部１３ｆにより読み取られた接続設定情報は、復号化部１３ｇにより復号化された上で、テンプレート１３ｃに追加される。
【００３５】
図３及び図４は、制御部１１の処理手順を示す、プログラム１４ａに係るフローチャートである。まず、制御部１１は、通信部１５が、通信圏内のＡＰ２が送出する、ＥＳＳＩＤを含む信号を受信したか否かを判定する（Ｓ１０）。前記信号を受信しなかった場合、処理をＳ１０へ戻す。
【００３６】
前記信号を受信した場合、ＥＳＳＩＤ抽出部１３ａにより、この信号中のＥＳＳＩＤを抽出する（Ｓ１２）。次に、テンプレート検索部１３ｂにより、テンプレート１３ｃのライブラリ１３ｄの中から、そのＥＳＳＩＤが、抽出したＥＳＳＩＤと一致するテンプレート１３ｃを検索する（Ｓ１４）。
【００３７】
検索により抽出されたテンプレート１３ｃから、このテンプレート１３ｃに対応する通信事業者を特定する（Ｓ１６）。そして、液晶パネル１２ｂにより、この通信事業者名を表示する（Ｓ１８）。
【００３８】
そして、液晶パネル１２ｂにおいて、ユーザに、表示された何れかの通信事業者のＡＰに接続するか否かの指示を要求し、ユーザが操作パネル１２ａから入力した前記指示を取得して、接続するか否かを判定する（Ｓ２０）。接続しない場合、処理をＳ１０へ戻す。
接続する場合、何れの通信事業者を選択するかの指示を要求する（Ｓ２２）。通信事業者が１社の場合、この通信事業者が選択される。
【００３９】
次に、これから利用する通信事業者につき、以前、接続設定をしたことがあるか否かを判定する（Ｓ２４）。以前、接続設定をしたことがある場合、処理をＳ３４へ進める。以前、接続設定をしたことがない場合、ユーザより取得すべき接続設定事項があるか否かを判定する（Ｓ２６）。この接続設定事項としては、「ＩＰアドレス」、「公衆無線ＬＡＮサービスログイン名」又は「公衆無線ＬＡＮサービスパスワード」等が挙げられる。前記接続設定事項がない場合、処理をＳ３４へ進める。前記接続設定事項がある場合、ユーザに、該接続設定事項を入力するように要求し（Ｓ２８）、該接続設定事項を取り込んだか否かを判定する（Ｓ３０）。該接続設定事項を取り込まなかった場合、処理をＳ２８へ戻す。該接続設定事項を取り込んだ場合、該接続設定事項をテンプレート１３ｃの接続設定情報に追加する（Ｓ３２）。そして、該テンプレート１３ｃの接続設定情報を通信用の設定として特定し（Ｓ３４）、接続処理を行い（Ｓ３６）、処理を終了する。
【００４０】
本実施形態によれば、ＥＳＳＩＤ抽出部１３ａが抽出したＥＳＳＩＤと一致するＥＳＳＩＤを含むテンプレート１３ｃをライブラリ１３ｄから検索して前記テンプレート１３ｃを抽出し、該テンプレート１３ｃに対応する通信事業者を特定することが出来るので、該通信事業者の接続設定情報に基づき、確実に接続することが出来る。また、前記テンプレート１３ｃの接続設定情報に基づき接続設定を行うので、自動的に、迅速かつ正確に接続することが出来る。そして、未設定の通信事業者に対し、ユーザ固有の接続設定事項がある場合においても、この少数の接続設定事項を入力するだけで、ＡＰ２へ容易に接続することが出来る。さらに、以前、接続設定をしたことがある通信事業者と、未設定である通信事業者とを比較し、何れかの通信事業者を選択してＡＰ２に接続することが出来るので、ユーザの利便性が良好である。
【００４１】
なお、本実施形態においては、通信事業者が複数ある場合、その場で、ユーザに操作パネル１２ａを用いて通信事業者を選択させるとして説明しているがこれに限定されるものではなく、予め、通信事業者の優先順位を設定しておき、これに基づき利用される通信事業者が選択されることにしてもよい。また、本実施形態においては、通信事業者を特定する識別情報としてＥＳＳＩＤを用いた場合につき説明しているがこれに限定されるものではない。そして、図３及び図４のフローチャートで示した手順により制御部１１に実行せしめるプログラム１４ａは、半導体メモリ、ＣＤ−ＲＯＭ、磁気テープ等のコンピュータに読み取り可能な記録媒体に格納されており、このプログラム１４ａが記憶部１４に記憶されて、実行されるものであってもよい。
【００４２】
実施の形態２．
図５は、実施の形態２に係る、無線ＬＡＮ通信装置１の接続設定情報読取り部１３ｆを用いて、接続設定情報をテンプレート１３ｃに追加し、接続設定を行う場合の制御部１１の処理手順を示すフローチャートである。まず、制御部１１は、接続設定情報読取り部１３ｆが、通信事業者が通信圏内の店舗等に設置したステッカーに表示した、符号化された接続設定情報を読み取ったか否かを判定する（Ｓ４０）。読み取っていない場合、処理をＳ４０へ戻す。
【００４３】
読み取った場合、前記接続設定情報を復号化部１３ｇにより復号化する（Ｓ４２）。次に、複合化した接続設定情報をテンプレート１３ｃに追加する（Ｓ４４）。そして、ユーザより前記テンプレート１３ｃの通信事業者により接続するという指示を取得したか否かを判定する（Ｓ４５）。この指示の取得は、図３のフローチャートのＳ１０からＳ２０までの処理と同様にして得られる。接続するという指示を取得しなかった場合、処理をＳ４５へ戻す。
【００４４】
接続するという指示を取得した場合、ユーザより取得すべき接続設定事項があるか否かを判定する（Ｓ４６）。前記接続設定事項がない場合、処理をＳ５４へ進める。前記接続設定事項がある場合、ユーザに、該接続設定事項を入力するように要求し（Ｓ４８）、該接続設定事項を取り込んだか否かを判定する（Ｓ５０）。該接続設定事項を取得しなかった場合、処理をＳ４８へ戻す。該接続設定事項を取得した場合、テンプレート１３ｃの接続設定情報に該接続設定事項を追加する（Ｓ５２）。そして、該接続設定情報を通信用の設定として特定し（Ｓ５４）、接続処理を行い（Ｓ５６）、処理を終了する。
【００４５】
本実施形態によれば、通信事業者が通信圏内の店舗等に設置したステッカーに表示さし、符号化された接続設定情報を接続設定情報読取り部１３ｆにより読み取って復号化部１３ｇにより復号化し、テンプレート１３ｃに追加した上で、接続の指示を取得した場合に、設定特定部１３ｅで特定し、接続設定を行うので、接続が未設定であった通信事業者によっても、自動的に、迅速かつ正確に接続することが出来る。
【図面の簡単な説明】
【００４６】
【図１】本発明の実施の形態１に係る無線ＬＡＮ通信装置とＡＰとを示すブロック図である。
【図２】接続設定部の構成を示すブロック図である。
【図３】制御部の処理手順を示すフローチャートである。
【図４】制御部の処理手順を示すフローチャートである。
【図５】制御部の処理手順を示すフローチャートである。
【符号の説明】
【００４７】
１  無線ＬＡＮ通信装置
２  ＡＰ
３  無線ＬＡＮ
４  ルータ
５  インターネット網
１１  制御部
１２  操作部
１２ａ  操作パネル
１２ｂ  液晶パネル
１３  接続設定部
１３ａ  ＥＳＳＩＤ抽出部
１３ｂ  テンプレート検索部
１３ｃ  テンプレート
１３ｄ  ライブラリ
１３ｅ  設定特定部
１３ｆ  接続設定情報読取り部
１３ｇ  複合化部
１４  記憶部
１５  通信部
【図１】
2007081987.tif 000005
【図２】
2007081987.tif 000006
【図３】
2007081987.tif 000007
【図４】
2007081987.tif 000008
【図５】
2007081987.tif 000009